(57)【要約】【課題】  ネクタイを締める不便さと個性のアピールが出来ない現状の不都合の解消等。【解決手段】  本考案は特殊バネ付き蝶番を付けたカバーでネクタイの結び目の型くずれを防ぎ、早く簡単になおかつ綺麗にネクタイが結べます。又装着具に取り付けた棒状のアクセサリーは、ワイシャツの襟を押さえ、個性のアピールも兼ねる。以上を以ってこの課題を解決する。【選択図】図１
0003121662.tif 000002
【実用新案登録請求の範囲】
【請求項１】
ネクタイの長さや結び目が早く簡単に出来るよう、ネクタイの結び目を覆うような形状で、側面両側に特殊バネ付き蝶番を付けたカバーを使用する事により、装着前は広く開いた状態にあり、装着後は両側のカバーを閉めることにより、バネの圧力でネクタイを押さえ、型くずれを防ぐ事が出来る装飾装着具。
【請求項２】
請求項１に記載の装飾装着具に取り付けた装飾具はワイシャツの襟を押さえ、型くずれをなくす棒状の装飾補助具。
【請求項３】
請求項２に記載の装飾具は、ワンタッチホックにて着脱が可能であり、襟止めの必要性が無いときは、襟止めの部分を外し同じ穴に別の装飾具を取りつける事が出来る装飾装着具。
【考案の詳細な説明】
【技術分野】
【０００１】  本考案は、ネクタイの結び目に使用する装飾装着具に関する。
【背景技術】
【０００２】  従来のネクタイは締めるときに、長さの調整が難しく、一度締めたあと長さが合わずやり直すことが多々あります。又結び目を綺麗にまとめることが難しく、時間がかかるのが現状です。それにネクタイだけでは色や柄でしか個性をアピールする事が出来ません。本考案は装着具の側面両側が広く開く為、ネクタイを無理矢理押し込めることなく片手でネクタイの装着が可能である。
【特許文献１】  特開２００２−１７４０６号  公報
【特許文献２】  実用新案登録第３０７３７４４号  公報
【考案が解決しようとする課題】
【０００３】  早く簡単に綺麗な結び目を作るためには、何回もやり直す事となり時間もかかりネクタイ自体が型くずれをする場合もあります。又ネクタイの色や柄だけでは個性のアピールが出来ません。ネクタイを締める不便さを解消し、アクセサリーを付けることで個性を引き出す為の装飾装着具を提供することにある。
【課題を解決するための手段】
【０００４】  前述した課題を解決するために本考案は、ネクタイの結び目を覆うような形状で側面両側に特殊バネ付き蝶番を付けたカバーを使用することにより、装着前は広く開いた状態にあり、装着後は両側のカバーを閉めることでバネの力でもってネクタイを押さえ、型くずれを防ぎ、早く、簡単に、なおかつ綺麗にネクタイを結ぶ事が出来る。
【０００５】  装着具に取り付けた棒状の補助具は、ワイシャツの襟元を押さえネクタイの結び目がずれないようにし、個性のアピールも兼ねています。（例）会社で仕事中は会社のロゴマークを使用し、退社後は自分の趣味に合う形状の物。パーティーなどの時は少々派手目な装飾具を使うなどネクタイピンに代わるアクセサリーになる。
【考案の効果】
【０００６】  よって本考案の装飾装着具を使用する事により、より早く、より簡単に、より綺麗な結び目を作ることが出来るようになり、時間の短縮や結ぶときの不便さが無くなります。そして装飾補助具を使うことにより、ワイシャツの襟を押さえネクタイの結び目のずれを防ぐことが出来ます。その装飾補助具はワンタッチホックを使用することによりＴＰＯに応じて取り替えが出来るよう考案されています。
【考案を実施する為の最良の形態】
【０００７】  本考案に係る装飾装着具は図８に示すようにネクタイの結び目が綺麗に整った状態の形状をし、図２に示すように後方に広く開く図７の２の特殊バネ付き蝶番を用いることにより、図９の手順に従いネクタイを簡単に装着出来、そのバネの力によりネクタイを締め付け、結び目を安定させる事が出来る。
【０００８】  装着具に取り付ける補助具は、図１２の７のワイシャツの襟を押さえる図１２の３の棒状の物を用い、結び目のずれを無くす為の補助具である。しかしその補助具は、単にワイシャツの襟を押さえる事や、結び目のずれを無くすだけでなく、装飾具としての個性を表現するための意味があり色々なデザインを用いることが可能である。例としてスポーツ関係で、ゴルフのクラブや野球のバットとボール、テニスのラケットとボール等、又図１１の４には会社や団体のロゴマークや国旗等、あらゆる分野のデザインを使用することにより個性のアピールができます。
【０００９】  図１１の３の棒状の補助具を必要としない場合は、図１１の５と６のワンタッチホックで着脱出来るように考案されていて、図１１の３の補助具をはずした穴に、別の補助具図１１の４を取り付けることが可能な形状になっており色々組み合わせ可能である。
【実施例】
【００１０】  本考案のネクタイ装飾装着具は、図９の手順▲１▼から▲４▼で示す様にネクタイを好みの長さに合わせ、図９の８の太い方を図９の９の細い方の上に重ね後ろから前にたらし、結び目の部分に図１の装着具を上からかぶせ図２の１の後方のカバーを締める事でネクタイを押さえ、図９の９の細い方のネクタイを引くと装着は簡単に完了します。【００１１】  図１０の３で示す棒状の装飾具は、図１１で示す様に図１１の３の棒状の装飾部分を図１１の５と６のワンタッチホックにより取り替える事が出来、ＴＰＯに応じて使い分ける事が可能になります。結び目とネクタイの柄が異なる事に違和感を覚える人は、装着具を透明にしたり、図１３で示す様に前面に結び目の形をした窓を開ける事によってネクタイ地を直接見せる事も出来ます。
【図面の簡単な説明】
【００１２】
【図１】本考案の装飾装着具を正面左上方から見た斜視図である。
【図２】本考案の装着具を装着前の上部から見た図である。
【図３】本考案の装着具を装着後の上部から見た図である。
【図４】本考案の装着具を装着後の下部から見た図である。
【図５】本考案の装着具を装着後の後部から見た図である。
【図６】本考案の装着具の断面（Ａ−Ｂ）図である。
【図７】本考案の装着具の後左上方から見た斜視図である。
【図８】本考案の装着具の正面左上方から見た斜視図である。
【図９】本考案の装着具の装着手順を示した図である。
【図１０】本考案の装飾装着具の正面図である。
【図１１】本考案の装飾装着具の着脱可能を示した図である。
【図１２】本考案の装飾装着具のネクタイを締めた状態の図である。
【図１３】本考案の前面窓開き装着具の斜視図である。
【符号の説明】
【００１３】  １  ネクタイを押さえるカバー
２  特殊バネ付き蝶番、装着前の開いた状態で止まり、ネクタイを中に入れた後はバネの力で締める
３  棒状補助具（例としてゴルフクラブを使用、その他色々なデザインも可能）
４  棒状補助具に代わる装飾具（会社や団体のロゴマークや国旗又はアクセサリー）
５  ワンタッチホックの凸部
６  ワンタッチホックの凹部
７  ワイシャツの襟
８  ネクタイの太い部分
９  ネクタイの細い部分
【図１】
0003121662.tif 000003
【図２】
0003121662.tif 000004
【図３】
0003121662.tif 000005
【図４】
0003121662.tif 000006
【図５】
0003121662.tif 000007
【図６】
0003121662.tif 000008
【図７】
0003121662.tif 000009
【図８】
0003121662.tif 000010
【図９】
0003121662.tif 000011
【図１０】
0003121662.tif 000012
【図１１】
0003121662.tif 000013
【図１２】
0003121662.tif 000014
【図１３】
0003121662.tif 000015